(57)【要約】【課題】備長炭の本来有する吸湿性や脱臭性などの機能を充分に発揮させる。また、安価な素材によって手軽に製作することができる。而も折り曲げ自在として、使用することができる範囲に制限を受けることがないようにする。【解決手段】ガーゼ状のクッション材２に、その長さ方向に、幅方向に沿った細長い袋２ａ，２ａ…を多数並設する。これらの袋２ａ，２ａ…内に端面が揃うようにして、一定の長さにカットした、端面が軸と直交する円柱状の備長炭３を多数並べる。【選択図】　　　図１
0003097126.tif 000002
【実用新案登録請求の範囲】
【請求項１】
一定の長さにカットした、端面が軸と直交する円柱状の備長炭を、多数端面が揃うようにして並べ、この状態において通気性が良好で且つ適宜の弾性を有するクッション材を少なくとも一方の端面側にあてがい、さらにこの状態を通気性の良好な袋状の部材によって覆い包んで一体化してなる備長炭入り調湿及び脱臭具。
【請求項２】
所要の長さ及び幅を有するガーゼ状のクッション材に、その長さ方向に、幅方向に沿った多数の細長い袋を並設し、これらの袋内に端面が揃うようにして、一定の長さにカットした、端面が軸と直交する円柱状の備長炭を多数並べてなる備長炭入り調湿及び脱臭具。
【請求項３】
所要の長さ及び幅を有するスポンジ状のクッション材の一方の面に、端面が揃うようにして、一定の長さにカットした、端面が軸と直交する円柱状の備長炭を多数並べ、この状態を通気性の良好な袋状の部材によって覆い包んで一体化してなる備長炭入り調湿及び脱臭具。
【請求項４】
一定の長さにカットした、端面が軸と直交する円柱状の備長炭を、通気性が良好で且つ適宜の弾性を有するクッション材で覆い包み、この状態における備長炭を多数端面が揃うようにして並べ、この状態を通気性の良好な袋状の部材によって覆い包んで一体化してなる備長炭入り調湿及び脱臭具。
【考案の詳細な説明】
【０００１】
【考案の属する技術分野】
本考案は備長炭入り調湿及び脱臭具に関し、更に詳細には備長炭が本来的に持っている調湿効果や脱臭効果を機能的に発揮させ、同時にその使用範囲を拡大するようになした備長炭入り調湿及び脱臭具に係わる。
【０００２】
【従来の技術】
【特許文献１】登録第３０７７５４６号登録実用新案公報
【０００３】
本考案者は、先に上記特許文献１に示された備長炭入り調湿・脱臭ボックスを案出した。そして、該備長炭入り調湿・脱臭ボックスは、上部が開口すると共に側壁に空気穴を設けた、平面形状が長方形の収納ボックス内に、一定の長さにカットした、端面が軸と直交する円柱状の備長炭を多数立てた状態で詰め込み、更に前記収納ボックスの上部開口に、下面が前記備長炭の上面に接触するように蓋をはめ込んでなるものである。
【０００４】
【考案が解決しようとする課題】
該備長炭入り調湿・脱臭ボックスは、本来備長炭が持っている吸湿性や脱臭性などの機能を十分に発揮させることができる点においては満足することができるものであった。しかし、実際に製作するときにおいて、空気穴を形成した収納ボックスと、これに被せる蓋とを作らなければならないことから、材料面と手間の面でコストが高くつくという問題点があった。そしてまた、収納ボックスと蓋は耐久性のあるプラスチック等の硬質材で製作されているから、折り曲げることができず、この結果使用することができる範囲が限られてしまうという問題点もあった。
【０００５】
本考案は上記の点に鑑みなされたものであって、安価な素材によって手軽に製作することができ、而かも折り曲げが自在であることから使用することができる範囲にも制限を受けることがないようになした備長炭入り調湿及び脱臭具を提供せんとするものである。
【０００６】
【課題を解決するための手段】
而して、本考案は、次の構成をその要旨とするものである。
（１）一定の長さにカットした、端面が軸と直交する円柱状の備長炭を、多数端面が揃うようにして並べ、この状態において通気性が良好で且つ適宜の弾性を有するクッション材を少なくとも一方の端面側にあてがい、さらにこの状態を通気性の良好な袋状の部材によって覆い包んで一体化してなる備長炭入り調湿及び脱臭具。
【０００７】
そして、上記構成を更に具体的にした次の構成をもその要旨とするものである。
（２）所要の長さ及び幅を有するガーゼ状のクッション材に、その長さ方向に、幅方向に沿った多数の細長い袋を並設し、これらの袋内に端面が揃うようにして、一定の長さにカットした、端面が軸と直交する円柱状の備長炭を多数並べてなる備長炭入り調湿及び脱臭具。
【０００８】
（３）所要の長さ及び幅を有するスポンジ状のクッション材の一方の面に、端面が揃うようにして、一定の長さにカットした、端面が軸と直交する円柱状の備長炭を多数並べ、この状態を通気性の良好な袋状の部材によって覆い包んで一体化してなる備長炭入り調湿及び脱臭具。
【０００９】
（４）一定の長さにカットした、端面が軸と直交する円柱状の備長炭を、通気性が良好で且つ適宜の弾性を有するクッション材で覆い包み、この状態における備長炭を多数端面が揃うようにして並べ、この状態を通気性の良好な袋状の部材によって覆い包んで一体化してなる備長炭入り調湿及び脱臭具。
【００１０】
【考案の実施の形態】
以下、本考案の実施の形態について図面を参照しつつ説明する。
図１は請求項２に対応する実施形態の一部省略して示した斜視図である。
【００１１】
本実施形態は、請求項１に記載の構成をさらに具体的にした請求項２に対応する実施形態であり、図中、１は備長炭入り調湿及び脱臭具である。２は所要の長さ及び幅を有するガーゼ状のクッション材である。尚、本実施形態ではガーゼ状のものを複数枚重ねて適度の弾性をもたせている。３は一定の長さにカットした、端面が軸と直交する円柱状の備長炭である。尚、該備長炭３は、本実施形態では長さを短く、即ち円板状になしている。
【００１２】
そして、本実施形態は、前記ガーゼ状のクッション材２に、その長さ方向に、幅方向に沿った多数の細長い袋２ａを並設し、これらの袋２ａ，２ａ…内に端面が揃うようにして、前記備長炭３を多数並べてなるものである。
【００１３】
次に、図２に示した実施形態について説明する。
本実施形態は、請求項１に記載の構成を更に具体的にした請求項３に対応する実施形態であり、図中、４は備長炭入り調湿及び脱臭具である。５は所要の長さ及び幅を有するスポンジ状のクッション材である。また、６は前記実施形態におけると同様の備長炭、７は通気性の良好な袋状の部材であり、本実施形態ではナイロン等のネットを用いている。
【００１４】
そして、本実施形態は、スポンジ状のクッション材５の一方の面に、端面が揃うようにして備長炭６を多数並べ、この状態を通気性の良好な袋状の部材７によって覆い包んで一体化してなるものである。尚、図示はしないが、場合によっては備長炭６のもう一方の面にスポンジ状のクッション材をあてがうようにしてもよい。
【００１５】
次に、図３に示した実施形態について説明する。
本実施形態は、請求項１に記載の構成を更に具体化した請求項４に対応する実施形態であり、図中、８は備長炭入り調湿及び脱臭具である。９は前記実施形態におけると同様の備長炭、１０は通気性が良好で且つ適宜の弾性を有するクッション材である。尚、該クッション材１０は、本実施形態では綿を用いている。１１は通気性の良好な袋状の部材であり、本実施形態ではナイロン等のネットを用いている。
【００１６】
そして、本実施形態では、備長炭９の夫々をクッション材１０で覆い包み、この状態における備長炭９を多数端面が揃うようにして並べ、この状態を通気性の良好な袋状の部材１１によって覆い包んで一体化してなるものである。
【００１７】
而して、上記いずれの実施形態にあっても、製作に用いる材料は安価なもので済むと共に製作に要する手間もあまりかからないものである。そしてまた折り曲げることも自在にできるから、使用することができる範囲にも制限を受けないものである。
【００１８】
また、使用の例としては、例えば枕カバーの如く枕に巻いて用いたり、座席の背もたれや尻の部分に当てたり、カーテンの端に吊るしたり、ベッドと同じ大きさにして、該ベッドの上や下に置いたり、壁に張り付ける等することができるものである。
【００１９】
【考案の効果】
本考案は上記の如き構成、作用であるから、本来備長炭が持っている吸湿性や脱臭性などの機能を充分に発揮させることができるものである。加えて、安価な素材によって手軽に製作することができ、而も折り曲げが自在であることから使用することができる範囲にも制限を受けることがないものである。
【図面の簡単な説明】
【図１】請求項２に対応する実施形態の一部省略して示した斜視図である。
【図２】請求項３に対応する実施形態の一部省略して示した斜視図である。
【図３】請求項４に対応する実施形態の一部省略して示した断面図である。
【符号の説明】
１　備長炭入り調湿及び脱臭具
２　カバー状のクッション材
３　備長炭
４　備長炭入り調湿及び脱臭具
５　スポンジ状のクッション材
６　備長炭
７　通気性の良好な袋状の部材
８　備長炭入り調湿及び脱臭具
９　備長炭
１０　クッション材
１１　通気性の良好な袋状の部材
【図１】
0003097126.tif 000003
【図２】
0003097126.tif 000004
【図３】
0003097126.tif 000005